(57)【要約】【課題】着用時に腕を前方に伸ばしても、裏地が引きつれず皺が発生しにくいジャケットを提供すること。【解決手段】ジャケット１の裏地２０における袖２２の背面側下部からジャケット本体２１のアームホールの背面側下部にかけて、パワーネット等の伸縮性素材からなるマチ部２３を設ける。ジャケット１の着用時に腕を前方に伸ばすことにともない裏地２０にかかる力を、マチ部２３が伸長することで吸収する。このため、裏地２０が引きつれることがなく、ジャケット１の皺の発生が抑制される。【選択図】図１
0003196341.tif 000002
【実用新案登録請求の範囲】
【請求項１】
左右にアームホールが設けられた上衣本体と、
前記アームホールに接続された左右一対の袖と、を備え、
前記上衣本体および一対の袖は、それぞれ表地および裏地の二層構造であり、
前記裏地の上衣本体のアームホールの背面側下部から各袖の背面側下部にかけて伸縮性素材からなるマチ部を設けた上衣。
【請求項２】
前記表地の上衣本体のアームホールの背面側下部および各袖の背面側下部に表地の生地を延長しかつ互いに縫合されてなるゆとり部をさらに設けた請求項１に記載の上衣。
【請求項３】
前記裏地のマチ部は、前記表地のゆとり部よりも大きい請求項２に記載の上衣。
【考案の詳細な説明】
【技術分野】
【０００１】
本考案は、上衣に関する。
【背景技術】
【０００２】
一般に上衣は、通常の着用時、すなわち背筋を伸ばし、腕を下方に下した状態で生地に無理な力がかからず、皺等が発生しにくいように仕立てられている。
また、女性用ジャケットの上衣においては、通常の着用時において、体のラインがきれいに見えるようにタイトに仕立てられていることが多い。
【０００３】
ところで、通常の上衣は表地と裏地から構成され、表地については、ある程度伸縮性を有する生地で作製されることがあるものの、裏地については、主に着心地の観点から生地が選択され、滑らかで肌触りが良い一方で伸縮性に欠ける生地で作製されることが多い。
【０００４】
このような上衣を着用しながら、事務作業等をおこなう際には、椅子に着座しつつ、前方の机上に置かれた、パーソナルコンピュータのキーボードをタッチしたり、書類を整理したりすることになるため、やや前かがみになりながら、腕を前方に伸ばす動作を頻繁におこなう必要がある。
【０００５】
しかしながら、前かがみになりながら腕を前方に伸ばすと、上衣の袖の背面側や上衣本体のアームホールの背面側に、背筋を伸ばし腕を下方に下した状態ではかからなかった無理な力がかかってしまう。
そして、上衣全体のうち、特に伸縮性の劣る裏地については、その袖の背面側や上衣本体の背面側の箇所に引きつれが生じ、上衣に皺が発生する原因となる。
特に、女性用ジャケットなどの上衣においては、上述のようにタイトに仕立てられていることから、袖の背面側や上衣本体のアームホールの背面側の生地に余裕がなく、引きつれの度合が一層激しく、上衣に大きな皺が発生し、見た目が非常に悪い。
【考案の概要】
【考案が解決しようとする課題】
【０００６】
そこで本考案の解決すべき課題は、着用時に腕を前方に伸ばしても、裏地が引きつれず皺が発生しにくい上衣を提供することである。
【課題を解決するための手段】
【０００７】
上記した課題を解決するため、考案にかかる表地と裏地からなる上衣では、その裏地における袖の背面側下部から上衣本体のアームホールの背面側下部にかけて、伸縮性素材からなるマチ部を設けたのである。
【０００８】
また考案にかかる上衣では、その表地における袖の背面側下部および上衣本体のアームホールの背面側下部に、生地を延長しかつ互いに縫合してなるゆとり部を設けるのが好ましい。
さらに考案にかかる上衣では、裏地のマチ部の大きさが表地のゆとり部の大きさよりも大きいのが好ましい。
【考案の効果】
【０００９】
上衣の裏地における袖の背面側下部から上衣本体のアームホールの背面側下部にかけて伸縮性素材からなるマチ部を設けたので、着用時に腕を前方に伸ばすことにともない裏地にかかる力をマチ部が伸長して吸収する。このため、裏地が引きつれることがなく、上衣の皺の発生が抑制される。
【００１０】
上衣の表地における袖の背面側下部および上衣本体のアームホールの背面側下部に生地を延長してなるゆとり部を設けたので、着用時に腕を前方に伸ばしても表地が引きつれることがない。このため、上衣の皺の発生が一層抑制される。
【図面の簡単な説明】
【００１１】
【図１】ジャケットの正面図
【図２】ジャケットのアームホール付近の破断図
【図３】ジャケットの側面図
【考案を実施するための形態】
【００１２】
以下、図面を参照しつつ本考案の実施形態について説明する。
図１〜３に示す実施形態のジャケット１は、事務作業等、腕を前方に伸ばす行為を頻繁におこなう際に着用するのに好適なものであり、そのように腕を前方に伸ばしても皺が発生しにくいように構成されている。
【００１３】
図１および図２のように、実施形態のジャケット１は、表地１０と裏地２０の二層構造となっている。
表地１０の生地の種類は特に限定されないが、伸縮性があまり大きくない生地が通常使用される。
また裏地２０の生地の種類も特に限定されないが、着心地を考慮して滑らかなものの伸縮性に欠けた生地が通常使用される。
表地１０と裏地２０のそれぞれが、ジャケット本体１１、２１と、左右一対の袖１２、２２と、から構成されている。
【００１４】
ジャケット本体１１、２１は、その左右にそれぞれアームホールが形成されている。
ジャケット本体１１、２１は複数の身頃から縫製されており、特に限定されないが、たとえば、正面部となる左右一対の前身頃と、背面部となる左右一対の後身頃と、側面部となる左右一対の脇身頃から構成される。
前身頃、後身頃、脇身頃はさらに複数の小片から構成されていてもよく、たとえば脇身頃は前脇身頃と後脇身頃とから構成されることが例示できる。
アームホールは、ジャケット本体１１、２１の肩部と脇部との間、すなわち左右の脇身頃のそれぞれ上方におおむね位置している。
表地のジャケット本体１１には、適宜、襟１１ａ、ポケット１１ｂ、ボタン１１ｃ、ボタン穴１１ｄ等が付属しているものとする。
【００１５】
左右一対の袖１２、２２は、それぞれ筒型をしており、その根元部がジャケット本体１１、２１のアームホールの縁に縫いつけられている。
袖１２、２２は複数の袖部から縫製されており、特に限定されないが、たとえば、ジャケット本体１１、２１に縫い付けた状態で内側となる内袖と、外側となる外袖から構成される。
内袖と外袖はさらに複数の小片から構成されていてもよい。
【００１６】
一般のジャケットと同様に、実施形態のジャケット１においては、ジャケット本体１１、２１や袖１２、２２の形状、寸法等が、背筋を伸ばし腕を下方に下した通常の着用状態において、皺が発生しにくいように適宜調整されている。
さらに実施形態のジャケット１においては、着用時に腕を前方に伸ばしても皺が発生しにくいような特殊な工夫が表地１０と裏地２０の双方になされている。
【００１７】
まず表地１０において、図３のように、ジャケット本体１１のアームホールの背面側の下部において、生地が延長され、またこれに近接して袖の根元部の背面側の下部においても、生地が延長されており、これら延長された生地同士が縫合されてゆとり部１１ｅ、１２ａが形成されている。
ゆとり部１１ｅ、１２ａの大きさ等は特に限定されないが、表地１０のジャケット本体１１が前身頃、脇身頃、後身頃からなり、その脇身頃が前脇身頃と後脇身頃からなる場合には、後脇身頃の上縁の全域、袖１２が内袖と外袖からなる場合には、内袖の根元部の背面側半部に設けることが例示できる。
この場合、後脇身頃と後身頃との縫製や内袖と外袖の縫製を容易とするために、後身頃のアームホール近傍、外袖の根元部の背面側などにも、適宜微少なゆとり部を設けてもよい。
【００１８】
また裏地２０においては、図１および図２のように、ジャケット本体２１のアームホールの背面側の下部と、これに近接する袖２２の根元部の背面側の下部との間には、伸縮性素材を展張してなる略長円形のマチ部２３が設けられている。
マチ部２３を構成する伸縮性素材としては、少なくとも裏地２０自身の生地よりも伸縮性に富むものが選択され、特に限定されるものではないがパワーネットが例示できる。
マチ部２３の大きさ等は特に限定されないが、裏地２０のジャケット本体２１が前身頃、脇身頃、後身頃からなり、その脇身頃が前脇身頃と後脇身頃からなる場合には、後脇身頃の上縁の全域と、袖２２が内袖と外袖からなる場合には、内袖の根元部の背面側半部との間に設けることが例示できる。
また、裏地２０の伸縮性は表地１０の伸縮性よりも一般に小さいことが多いため、マチ部２３が表地１０のゆとり部１１ｅ、１２ａよりも面積が大きいことが好ましい。
【００１９】
実施形態のジャケット１の構成は以上のようであり、いま図３のようにこのジャケット１を着用して腕を前方に伸ばすと、ジャケット１のアームホールの背面側に引っ張る向きの力が生じるが、表地１０においてはゆとり部１１ｅ、１２ａにより生地にゆとりが生まれており、裏地２０においてはマチ部２３が伸長することにより引っ張る力が吸収される。
このため、ジャケット１のアームホールの背面側の生地が引きつれて、皺が生じることが防止され、事務作業時などに着用しても、皺が発生することのない、非常に体裁のよいものとすることができる。
【００２０】
今回開示された実施形態はすべての点で例示であって制限的なものではないと考慮されるべきである。本考案の範囲は実用新案登録請求の範囲によって示され、その範囲内でのすべての修正と変形を含むものであることが意図される。
【００２１】
たとえば、ジャケット１の表地１０に伸縮性に富んだ生地を使用する場合には、腕を前方に伸ばしても表地に引きつれが生じないため、表地１０のゆとり部１１ｅ、１２ａを省略することができる。
また、実施形態では上衣の一例としてジャケット１を示しているが、上衣全般に本考案を適用することが可能である。
裏地２０については、総裏仕立て、すなわち表地１０の裏のほぼ全域に設けられている場合に限定されず、背裏仕立てなど、表地１０の裏の一部に設けられていてもよい。
【符号の説明】
【００２２】
１  実施形態のジャケット
１０  表地
１１  表地のジャケット本体
１１ａ  襟
１１ｂ  ポケット
１１ｃ  ボタン
１１ｄ  ボタン穴
１１ｅ  ゆとり部
１２  表地の袖
１２ａ  ゆとり部
２０  裏地
２１  裏地のジャケット本体
２２  裏地の袖
２３  マチ部
【図１】
0003196341.tif 000003
【図２】
0003196341.tif 000004
【図３】
0003196341.tif 000005